(57)【特許請求の範囲】
【請求項１】
画像を表す情報を与える手段と、
該画像を該画像の一部を囲む内側領域と該内側領域を囲み、該内側領域の外側の画像全体を囲み、画像のＸＹ方向の最大値と最小値に基づいて決定される外側領域とに区分する画像領域区分手段と、
前記画像を表す情報に基づいてミシンの刺繍縫いを行うための縫い目データを生成するための手段であって、前記内側領域内の画像と外側領域内の画像とで異なる方向の縫い目データを生成する手段と、を備え、
前記画像領域区分手段は外側領域から区分される内側領域の位置と大きさが画像に基づいて自動的に与えられるようにした、ことを特徴とする刺繍縫い可能なミシンの刺繍模様データ生成装置。
【請求項２】
画像を表す情報を与える手段と、
該画像を該画像の一部を囲む内側領域と該内側領域を囲み、該内側領域の外側の画像全体を囲み、画像のＸＹ方向の最大値と最小値に基づいて決定される外側領域とに区分する画像領域区分手段と、
前記画像を表す情報に基づいてミシンの刺繍縫いを行うための縫い目データを生成するための手段であって、前記内側領域内の画像と外側領域内の画像とで異なる方向の縫い目データを生成する手段と、を備え、
前記画像領域区分手段は、内側領域の形状も指定できる区分指定手段により、外側領域から区分する内側領域の位置と大きさ及び形状の中の少なくとも１つが任意に指定可能である、
ことを特徴とする刺繍縫い可能なミシンの刺繍模様データ生成装置。
【請求項３】
前記縫い目データを生成する手段が、前記外側領域内の画像において所定の基準位置に基づいて放射状に縫い目を形成する、
請求項１又は２のいずれか一項記載の刺繍縫い可能なミシンの刺繍模様データ生成装置。
【請求項４】
前記縫い目データを生成する手段が、前記内側領域内の画像において一定方向の縫い目を形成する、
請求項１又は２又は３のいずれか一項記載の刺繍縫い可能なミシンの刺繍模様データ生成装置。
【請求項５】
前記区分する手段が、外側領域を更に細区分し、
前記縫い目データを生成する手段が、前記外側領域の各細区分領域において各細区分領域内の画像毎に所定の方向に縫い目を形成する、
請求項１又は２又は４のいずれか一項記載の刺繍縫い可能なミシンの刺繍模様データ生成装置。
【請求項６】
前記区分する手段が、画像の外形と相似形の内側領域を形成するように画像を区分する、
請求項１又は２又は３又は４又は５のいずれか一項記載の刺繍縫い可能なミシンの刺繍模様データ生成装置。
【請求項７】
与えられた画像データに基づいて、該画像を該画像の一部を囲む内側領域と、該内側領域を囲み、
該内側領域の外側の画像全体を囲み、
画像のＸＹ方向の最大値と最小値に基づいて決定される外側領域とに区分し、
該内側領域内の画像と外側領域内の画像とで異なる方向のミシンの刺繍縫いを行うための縫い目データを生成する、
こと特徴とする刺繍縫い可能なミシンの刺繍模様データ生成方法。
【発明の詳細な説明】
【０００１】
【産業上の利用分野】
この発明は刺繍縫い可能なミシンの刺繍模様データ生成装置及び方法に関する。
【０００２】
【従来の技術】
刺繍縫い可能なミシンに用いられる刺繍模様データは、通常ミシンメーカ等が人手により模様に適合した模様データを作成し、メモリカード等を用いてユーザに供給するのが普通である。
しかし、このようなメーカ側が供給する模様だけではなく、ユーザの好みの模様の刺繍が可能になる装置の要望があり、そのためユーザがスキャナ等を用いて好みの画像を読み取り、該画像データから刺繍模様データを生成する装置が開発され普及しつつある。
【０００３】
【発明が解決しようとする課題】
しかし、このような刺繍模様データ生成装置においては、画像に適合した縫い目を作成することが難しく、画一的に水平方向や斜め方向等の一定方向の縫い目データを形成するため、輪郭線等の幅の狭い模様の場合には、生成される縫い目データが画像に適合しないことがしばしば生ずる欠点があった。
図１３は水平方向に画一的に縫い目を形成した場合の、刺繍模様の状態を示すもので、矢印の部分が問題になる。即ち、この幅の狭い部分に水平方向に縫い目が形成されてしまい、１つの縫い目が極端に長くなり、縫いがきれいに仕上がらず、また見た目も悪くなり、このような部分が目立ち易い画像の外形部分に表れる問題がある。
本発明は上記した従来技術の問題点を解決することを目的とする。
【０００４】
【課題を解決するための手段】
本発明は、画像を表す情報を与える手段と、該画像を該画像の一部を囲む内側領域と該内側領域を囲み、該内側領域の外側の画像全体を囲み、画像のＸＹ方向の最大値と最小値に基づいて決定される外側領域とに区分する画像領域区分手段と、前記画像を表す情報に基づいてミシンの刺繍縫いを行うための縫い目データを生成するための手段であって、前記内側領域内の画像と外側領域内の画像とで異なる方向の縫い目データを生成する手段とを備え、前記画像領域区分手段は外側領域から区分される内側領域の位置と大きさが画像に基づいて自動的に与えられるようにした、刺繍縫い可能なミシンの刺繍模様データ生成装置とすることで課題を解決した。
また本発明は、画像を表す情報を与える手段と、該画像を該画像の一部を囲む内側領域と該内側領域を囲み、該内側領域の外側の画像全体を囲み、画像のＸＹ方向の最大値と最小値に基づいて決定される外側領域とに区分する画像領域区分手段と、前記画像を表す情報に基づいてミシンの刺繍縫いを行うための縫い目データを生成するための手段であって、前記内側領域内の画像と外側領域内の画像とで異なる方向の縫い目データを生成する手段とを備え、前記画像領域区分手段は、内側領域の形状も区分指定手段により指定できる、外側領域から区分する内側領域の位置と大きさ及び形状の中の少なくとも１つが任意に指定可能である、刺繍縫い可能なミシンの刺繍模様データ生成装置とすることで課題を解決した。
更に本発明の縫い目データを生成する手段が、外側領域内の画像において所定の基準位置に基づいて放射状に縫い目を形成する、刺繍縫い可能なミシンの刺繍模様データ生成装置とすることで課題を解決した。
更に本発明の縫い目データを生成する手段が、内側領域内の画像において一定方向の縫い目を形成する、刺繍縫い可能なミシンの刺繍模様データ生成装置とすることで課題を解決した。
更に本発明の、区分する手段が、外側領域を更に細区分し、縫い目データを生成する手段が、外側領域の各細区分領域において各細区分領域内の画像毎に所定の方向に縫い目を形成する、刺繍縫い可能なミシンの刺繍模様データ生成装置とすることで課題を解決した。
更に本発明の区分する手段が、画像の外形と相似形の内側領域を形成するように画像を区分する、刺繍縫い可能なミシンの刺繍模様データ生成装置とすることで課題を解決した。
また本発明は、与えられた画像データに基づいて、該画像を該画像の一部を囲む内側領域と、該内側領域を囲み、該内側領域の外側の画像全体を囲み、画像のＸＹ方向の最大値と最小値に基づいて決定される外側領域とに区分し、該内側領域内の画像と外側領域内の画像とで異なる方向のミシンの刺繍縫いを行うための縫い目データを生成する、刺繍縫い可能なミシンの刺繍模様データ生成方法とすることで課題を解決した。
【０００５】
【実施例】
以下本発明の実施例を図面に基づいて説明する。
図１において、この刺繍模様データ生成装置Ｘは画像情報付与手段１を備えている。この画像情報付与手段１は例えばＣＡＤ等を用いて作成されたデータを付与する手段や、原画を読み取って画像データを得る装置などを備えることが可能である。
実施例では画像情報付与手段１はスキャナ等の読み取り手段３を有しており、この読み取り手段３によりユーザの所望の原画を読みとって、画像データを出力できるようになっている。この画像データは画像領域区分手段４に供給されるようになっている。
【０００６】
図６に示すような原画Ｇを読み取り手段３により読み取ると、図７に示すようなドットの画像データが画像情報付与手段１において生成され、この画像データが画像領域区分手段４に入力されて、ここで図８に示すように外側領域線Ｌと内側領域線Ｍにより外側領域５０と内側領域５１の区分がなされるようになっている。
この実施例では、外側領域線Ｌは画像のｘ方向とｙ方向の最大値と最小値の点を通るｘ、ｙ座標に平行な直線であり、これにより長方形を形成している。また、内側領域線Ｍは該外側領域線Ｌより所定距離内側に設定され、同様に長方形を形成している。
この外側領域線Ｌは図７に示すように画像のｘ方向とｙ方向の最大値と最小値とから、画像領域区分手段４において自動的に設定されるようになっている。また、内側領域線Ｍは外側領域線Ｌから所定距離内側に自動的に設定することも可能であるし、区分指定手段９により画像に合わせてユーザが任意の位置、大きさに設定できるように構成されている。
【０００７】
画像領域区分手段４で区分された画像データは選択手段１０を介して画像基準位置演算手段５に送られ、同時に一定方向縫い目データ生成手段８に送られる。一定方向縫い目データ生成手段８では内側領域５１における画像データを一定方向の縫い目データに変換するようになっている。この実施例では水平方向の縫い目データを形成するようになっており、図９に示すように内側領域５１では水平方向の縫い目が形成されるように構成されている。
一方画像基準位置演算手段５においては、画像の基準位置が設定される。この実施例では図７及び図８に示すように画像中心Ｐを設定し、基準線設定手段６において該画像中心Ｐから放射状に基準線を設定し、この放射状の基準線に沿って放射状の縫い目を設定するようになっている。
画像中心Ｐは画像のｘ、ｙ方向の中点になっており、ｘ、ｙ方向の最大値と最小値から求めることができる。また画像中心Ｐに変えて、重心等を用いても良く、重心を求める場合には、例えば画像データのドット数等から画像の面積を求めて重心を決めれば良い。更に画像の中心や重心に変えて他の種々の基準位置を用いることが可能であり、中心や重心に限定されるものではない。また、点ではなく面積をもった領域を基準位置とすることも可能である。更に、このような基準位置は単一である必要はなく、必要に応じて複数設定しても良い。
【０００８】
基準線設定手段６において基準線Ｈは図８に示すように設定された基準位置から放射状に設定されるようになっている。このような基準線Ｈを必要に応じて複数設定し、外側領域５０においてはこの基準線に従って縫い目データが形成されるようになっている。図８の実施例では基準線Ｈと画像の外形線との交点ｄを求め、この点ｄを針落ち点とし、これを縫い目データとしている。
以上の構成により、図９に示すように外側領域５０においては、、画像の線にほぼ直交する方向に縫い目が形成されてることがわかる。
【０００９】
なお、上記した内側領域線Ｍや外側領域線Ｌ及び中心点Ｐや基準線Ｈは仮想のものであり、図７乃至図９に示すように画像上に点や線として表す必要はないが、この実施例では内側領域線Ｍの位置や大きさ或いは形状をユーザ側で設定可能とするために表示手段１２に表示するように構成している。
【００１０】
この実施例では更に、表示データ生成手段１１と表示手段１２を備えており、読み取り手段３で読み取った画像を表示手段１２に表示できるようになっている。そして、この表示手段１２に上記したように外側領域線Ｌ、内側領域線Ｍ及び中心Ｐや基準線Ｈを表示させるようになっている。
【００１１】
この実施例では更に外側領域５０を細区分出来るようになっており、選択手段１０により細区分モードを選択すると、画像領域区分手段４からの画像データが外領域細区分手段１５に送られて、ここで外側領域５０が細区分されるようになっている。細区分の領域は自動的に設定されるか又は細区分領域指定手段１６によりユーザが任意に設定できるようになっている。
図１０において外側領域５０は、外側領域５０と内側領域５１の角部を結ぶ細区分線Ｎにより４つの領域に自動的に細区分されている。上記したように細区分領域指定手段１６により任意の細区分が可能になっている。
該細区分された各領域毎に所定方向縫い目データ生成手段１７において所定方向の縫い目データが形成されるようになっている。この実施例では、図１０に矢印で示すように横長の外側領域５０ａ、５０ｃにおいては、垂直方向の縫い目データが形成され、縦長の外側領域５０ｂ、５０ｄでは水平方向の縫い目データが形成されるようになっている。この縫い目の方向は自動的に決定可能であると同時に縫い目方向指定手段１８によってユーザが指定できるようになっている。
【００１２】
放射状縫い目データ生成手段７や一定方向縫い目データ生成手段８で生成した縫い目データ或いは所定方向縫い目データ生成手段１７で生成した縫い目データ更に表示データ生成手段１１で生成した表示データは、記憶媒体１４に記憶し、ミシン側で記憶媒体１４に記憶されたデータを読み出して刺繍縫いを実行するように構成されている。或いは直接ミシン本体１３に送られて、刺繍縫いに供されるように構成されている。
【００１３】
なお、外側領域５０、内側領域５１は上記した実施例では直線で囲まれた長方形になっているが、これに限定されるものではなく、例えば図１１に示すように内側領域５１を画像の外形にほぼならう内側領域線Ｍ’により構成して、画像とほぼ相似する形状としても良い。この実施例では区分指定手段９により内側領域５１の形状も指定できるようになっている。
このように相似形とすることにより、縫い目の画像への適合性が更に向上する。
また、上記した刺繍模様データ生成装置Ｘは、装置単独で構成しても良いし、或いはミシン本体に組み込んでも良い。また、一部をミシン本体に組み込んで、残りの一部を独立の装置とするなど、種々の態様を採用可能である。
【００１４】
図２はこの刺繍模様データ生成装置Ｘをマイクロコンピュータを主体に構成した具体的なハード構成図であり、図３はこのデータ生成装置Ｘの外観斜視図、図４はその主要部の拡大平面図である。
図３に示すようにデータ生成装置Ｘの蓋をあけると、表示装置３１が表れ、該データ生成装置Ｘに接続してスキャナ３０が設けられている。
【００１５】
このスキャナ３０は図２に示すように中央演算処理装置２０に接続されており、読み取った原画の画像データを中央演算処理装置２０に出力して一時記憶装置２７に一時記憶するようになっている。
原画は原画載置部４０上に載置され、図４に示すように手動でスキャナボタン４１を押しつつスキャナ３０を上から下へスキャンさせて画像を読み込むようになっている。
【００１６】
中央演算処理装置２０には区分指定釦３２が備えられており、読み込んだ画像を領域に区分するか否か、また外側領域５０を細区分するか否か、区分する場合には自動設定と手動設定を選択できるようになっている。自動設定の場合には、長方形の外側領域５０と内側領域５１が形成されるようになっている。また、外側領域５０の細区分は図１０に示すように４つの領域に自動的に細区分するようになっている。
手動設定の場合には、外側領域５０と内側領域５１の位置と大きさ及び形状をここで指定できるようになっている。また、外側領域５０の細区分の領域の位置と大きさの指定も行えるように構成されている。
読み込まれた画像と区分指定釦３２による領域区分のデータは画像表示データ生成プログラム記憶装置２６に格納された表示データ生成プログラムにより表示データに変換され表示装置３１に表示されて、ユーザは表示装置３１を見ながら領域区分の操作を行えるようになっている。
【００１７】
縫い目方向指定釦３５は縫い目方向の自動設定及び手動設定を選択し、手動設定の場合には、区分領域毎に任意の縫い方向（放射方向を含む）を指定できるようになっている。自動設定の場合には、この実施例では外側領域５０では放射状の縫い目データ、内側領域５１では水平方向の縫い目データを作成するようになっている。また、外側領域５０を細区分した場合には、自動設定では図１０に示すように縦長の外側領域５０ｂ、５０ｄでは水平方向の縫い目データ、横長の外側領域５０ａ、５０ｃでは縦方向の縫い目データを形成するように構成されている。
【００１８】
また中央演算処理装置２０には基準点種類指定釦３３が備えられており、放射状縫い目データの生成が自動或いは手動設定された場合に、基準点として中心を用いるか重心を用いるか選択できるようになっている。
区分指定釦３２、縫い目方向指定釦３５、基準点種類指定釦３３は図３又は図４に示すように表示装置３１の右脇に設置されている。
【００１９】
自動又は手動により放射状の縫い目生成が選択され、基準点種類指定釦３３により基準点が選択されると、中央演算処理装置２０はスキャナ３０により読み取られ一時記憶装置２７に格納された画像データを読み出して、画像中心演算プログラム記憶装置２１に記憶されたプログラム又は画像重心演算プログラム記憶装置２２に記憶されたプログラムにより画像中心又は画像重心を演算し、更に基準線設定演算プログラム記憶装置２３に格納されたプログラムにより該中心又は重心から放射状に基準線を設定する。そして、放射状縫い目データ生成プログラム記憶装置２４に格納されたプログラムにより該基準線に基づいて縫い目データを生成し、この縫い目データを縫い目データ／表示データ記憶装置３４に格納する。
同時に画像表示データ生成プログラム記憶装置２６により縫い目の表示データを生成して縫い目データ／表示データ記憶装置３４に表示データを格納するようになっている。
縫い目データ／表示データ記憶装置３４はこの実施例ではＲＡＭカード等の着脱可能なものになっており、生成装置Ｘから取り外してミシン本体に装着できるようになっている。
【００２０】
区分指定釦３２により領域区分を行わずに、従来の一定方向の縫い目データ生成を選択した場合や、内側領域５１の縫い目が自動設定された場合には、中央演算処理装置２０は一定方向縫い目データ生成プログラム記憶装置２５に格納されたプログラムに従って、この実施例では水平方向の縫い目データを生成するようになっている。
【００２１】
更に、細区分領域などにおいて、縦方向或いは横方向の縫い目データを生成する必要がある場合には、中央演算処理装置２０は所定方向縫い目データ生成プログラム記憶装置２９からのプログラムにより、所定方向の縫い目データを生成するようになっている。
【００２２】
データ記憶装置３４は図３に示すようにカードスロット４４において着脱可能になっており、縫い目データと表示データとを記憶させたら、カードスロット４４から引き抜いて図１２に示すようにミシン本体ＹのＲＡＭカード読取部４５に装着して、刺繍縫いに供するように構成されている。また表示データはミシン本体Ｙの表示部４６の表示にも用いられるようになっている。
【００２３】
図５により動作を説明する。
スキャナ３０により画像を読み取ると（ステップＳ１）、該画像データが一時記憶装置２７に一時記憶され（ステップＳ２）、画像表示データ生成プログラム記憶装置２６のプログラムにより該画像データから表示データが生成され、表示装置３１に表示される（ステップＳ３）。データの再入力があるか否か判定し（ステップＳ４）、再入力がある場合にはステップＳ１に戻る。再入力がない場合には、区分指定釦３２により画像領域区分が指示されたか否か判断し（ステップＳ５）、されていない場合には画像の全てについて一定方向の縫い目データを生成する（ステップＳ１７）。
画像領域区分の指令がなされた場合には、画像領域区分プログラム記憶装置２８のプログラムに従って画像領域が区分される（ステップＳ６）。外側領域５０、内側領域５１の形状、大きさ、位置等は自動設定の場合には予め決められたものに設定され、手動設定の場合には設定された内容で区分される。そして外側領域５０が更に細区分されるように指示されたか否か判断し（ステップＳ７）、細区分指示がない場合には、縫い目方向指定釦３５の操作が自動設定か手動設定か判断する（ステップＳ８）。自動設定の場合には、この実施例では外側領域５０を放射状の縫い目とするようになっているから、基準点種類指定釦３３による基準点の選択を促して、選択された基準位置を画像中心演算プログラム記憶装置２１又は画像重心演算プログラム記憶装置２２のプログラムにより算出する（ステップＳ９）。そして放射状縫い目データ生成プログラム記憶装置２４のプログラムにより該中心を基準として基準線を設定し、外側領域５０において該基準線に基づいて放射状の縫い目データを生成する（ステップＳ１０）。一方内側領域５１においては、一定方向縫い目データ生成プログラム記憶装置２５のプログラムに基づいて水平方向の縫い目データを生成する（ステップＳ１１）。
【００２４】
ステップＳ７で細区分が選択され、区分指定釦３２により自動設定が指定された場合には予め決められた細区分領域に外側領域５０を区分し、手動設定の場合には指示された細区分領域に外側領域５０を区分する（ステップＳ１３）。そして、縫い目方向指定釦３５により縫い目方向の自動設定が選択された場合には各細区分毎に予め決められた縫い目方向のデータが生成され、縫い目方向指定釦３５により縫い目方向が手動設定された場合には、各細区分毎に設定された方向の縫い目データが生成される（ステップＳ１４）。
【００２５】
ステップＳ８で、縫い目方向指定釦３５により縫い方向の手動設定が選択された場合には、外側領域５０及び内側領域５１において、設定された縫い方向の縫い目データが生成される（ステップＳ１５、１６）。
上記により生成された縫い目データ及び表示データは縫い目データ／表示データ記憶装置３４に記憶され（ステップＳ１２）、動作を終了する。
【００２６】
【発明の効果】
以上説明したように本発明の刺繍縫い可能なミシンの刺繍模様データ生成装置及び方法によれば、画像を外側領域と内側領域に区分して、該区分領域毎に適合した方向の縫い目データを形成できるから、従来のような一定方向の縫い目データに基づく縫い目の欠点を解消できる。
【図面の簡単な説明】
【図１】本発明の一実施例を示す機能ブロック図。
【図２】本発明の一実施例を示すハード構成図。
【図３】本発明の一実施例の外観斜視図。
【図４】本発明の一実施例の外観部分正面図。
【図５】本発明の一実施例の動作を示すフローチャート図。
【図６】本発明の一実施例の原画読み取り動作の説明図。
【図７】本発明の一実施例の画像データの説明図。
【図８】本発明の一実施例の領域区分動作の説明図。
【図９】本発明の一実施例の領域毎の縫い目形成状態の説明図。
【図１０】本発明の一実施例の外側領域の細区分と縫い目形成状態の説明図。
【図１１】本発明の一実施例の内側領域の他の形状例の説明図。
【図１２】本発明の一実施例のデータ記憶装置の装着態様を説明するためのミシン本体外観図。
【図１３】従来の縫い目形成状態の説明図。
【符号の説明】
１：画像情報付与手段、２：縫い目データ生成手段、３：読み取り手段、４：画像領域区分手段、５：画像基準位置演算手段、６：基準線設定手段、７：放射状縫い目データ生成手段、８：一定方向縫い目データ生成手段、９：区分指定手段、１０：選択手段、１１：表示データ生成手段、１２：表示手段、１３：ミシン本体、１４：記憶媒体、１５：外領域細区分手段、１６：細区分領域指定手段、１７：所定方向縫い目データ生成手段、１８：縫い目方向指定手段、２０：中央演算処理装置、２１：画像中心演算プログラム記憶装置、２２：画像重心演算プログラム記憶装置、２３：基準線設定演算プログラム記憶装置、２４：放射状縫い目データ生成プログラム記憶装置、２５：一定方向縫い目データ生成プログラム記憶装置、２６：画像表示データ生成プログラム記憶装置、２７：一時記憶装置、２８：画像領域区分プログラム記憶装置、２９：所定方向縫い目データ生成プログラム記憶装置、３０：スキャナ、３１：表示装置、３２：区分指定釦、３３：基準点種類指定釦、３４：縫い目データ／表示データ記憶装置、３５：縫い目方向指定釦、４０：原画載置部、４１：スキャナボタン、４２：ＲＡＭカード取出し釦、４３：電源スイッチ、４４：カードスロット、４５：ＲＡＭカード読取部、４６：表示部、５０：外側領域、５１：内側領域。
【図１】
0003932208.tif 000002
【図２】
0003932208.tif 000003
【図３】
0003932208.tif 000004
【図１２】
0003932208.tif 000005
【図４】
0003932208.tif 000006
【図５】
0003932208.tif 000007
【図６】
0003932208.tif 000008
【図７】
0003932208.tif 000009
【図８】
0003932208.tif 000010
【図９】
0003932208.tif 000011
【図１０】
0003932208.tif 000012
【図１１】
0003932208.tif 000013
【図１３】
0003932208.tif 000014